(57)【特許請求の範囲】
【請求項１】
遊技盤の遊技領域へ向けて発射される遊技球を貯留する球受け皿と、球払出装置の作動により払出された遊技球を前記球受け皿に案内する払出し通路と、前記遊技盤の遊技領域へ向けて発射されて該遊技領域に到達しない遊技球を前記球受け皿に案内するファール球回収通路とを備えた遊技機において、
前記払出し通路の球出口およびファール球回収通路の球出口が開口すると共に前記球受け皿に連通する合流部と、
前記合流部に設けられ、前記払出し通路への遊技球の滞留に伴い作動位置に変位する第１作動部と、
前記合流部に設けられ、前記ファール球回収通路への遊技球の滞留に伴い作動位置に変位する第２作動部と、
前記第１作動部および第２作動部の作動位置への変位を検出して検出状態に切り替わり、検出状態に切り替わることで前記球払出装置の作動を停止させる検出手段と、
前記ファール球回収通路の球出口に設けられ、該ファール球回収通路を閉鎖する閉鎖位置におよび該通路を開放する開放位置に変位すると共に当該閉鎖位置へ付勢された逆流防止弁と、
前記合流部からファール球回収通路への逆流防止弁の開放動作を規制する開放規制部とを備え、
前記逆流防止弁は、前記ファール球回収通路を流下する遊技球に押圧されることで前記閉鎖位置から開放位置に変位すると共に、前記合流部に貯留された遊技球に押圧された際に前記開放規制部が逆流防止弁の開放動作を規制することで、合流部からファール球回収通路への遊技球の逆流を防止するよう構成され、
前記第１作動部および第２作動部は、単一の可動部材に設けられると共に、該第１作動部または第２作動部が作動位置へ変位した際に、前記検出手段で検出される検出部が可動部材に形成された
ことを特徴とする遊技機。
【発明の詳細な説明】
【技術分野】
【０００１】
本発明は、賞球を球受け皿に案内する賞球払出し通路と、ファール球を球受け皿に戻すファール球回収通路とを備えた遊技機に関するものである。
【背景技術】
【０００２】
例えば遊技機の代表例の一つであるパチンコ機は、特許文献１のように、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護するガラス板が設置された装飾枠としての前枠とを基本的に備えている。前記遊技盤には、盤面に画成した遊技領域の略中央位置に枠状の枠状装飾体(所謂センター役物)が配設されており、この枠状装飾体の開口部を介して複数の図柄を変動表示して図柄変動ゲームを行なう液晶式やドラム式等の図柄表示装置を後方から臨ませると共に、該遊技盤における枠状装飾体の下方位置に、パチンコ球(遊技球)の入賞により図柄表示装置での変動を開始させる始動入賞装置や大当り時等に開放する特別入賞装置を配設するよう構成されたものが多数提案されている。
【０００３】
また、パチンコ機には、パチンコ球を貯留する球受け皿が前記中枠や前枠の前面側に位置するよう備えられており、遊技者のハンドル操作に基づいて球受け皿に貯留されたパチンコ球が前記遊技盤の遊技領域へ向けて打ち出され、この打ち出されたパチンコ球が各種入賞装置の入賞口に入賞することで、所定数のパチンコ球が賞球として球受け皿に払出されると共に、入賞した入賞口に応じて適宜の遊技演出が行われるようになっている。また、パチンコ球を打ち出した際の打球力が弱く、遊技盤の遊技領域まで到達しないパチンコ球(所謂ファール球)が発生した場合には、前記中枠等に形成された打ち出されたファール球の回収通路を介して当該ファール球を前記球受け皿に回収して、パチンコ球を遊技に再度利用し得るようにすることで、遊技者に不利益とならないようにしている。
【０００４】
ところで、大当りの発生時には、多数のパチンコ球が賞球として払出されることから、球受け皿に貯留されるパチンコ球が次第に増加して該球受け皿にパチンコ球を供給不能な満杯状態となる。このような満杯状態で無理に賞球の払出しを実行すると球払出装置が損傷したり、賞球が払出されていないにも関わらず、賞球払出しが完了したものと誤検出されて正確な数の賞球が払出されないといった不具合が発生する虞がある。このため、多くのパチンコ機では、特許文献１のように前記球受け皿内に一定量のパチンコ球が貯留された満杯状態を検出する満杯検出センサを賞球の払出し通路に設け、該センサが満杯検出した場合に球払出装置による賞球の払出しを一時的に停止させるようになっている。
【先行技術文献】
【特許文献】
【０００５】
【特許文献１】特開２００８−２３１８４号公報
【発明の概要】
【発明が解決しようとする課題】
【０００６】
ところで、近年のパチンコ機には、前記特許文献１のように前記賞球の払出し通路を通過したパチンコ球およびファール球の回収通路を通過したパチンコ球を、同じ球受け皿に誘導するよう構成されたものがある。ここで、大当り等のように球受け皿が満杯な状態でファール球が発生することがある。ファール球は、発射されてから球受け皿に回収されるまでに一定の時間を要することから、パチンコ球の発射に伴って球受け皿内に貯留されているパチンコ球が一時的に減少し、満杯検出センサの検出が解除されて賞球の払出しが再開されるようになる。このような状況が継続すると、球受け皿のパチンコ球の総数が次第に増大するため、球受け皿に回収しきれないファール球がファール球の回収通路に逆流したり滞留することがある。このような状態が継続してファール球の回収通路に滞留したファール球が、打球発射装置により発射されたパチンコ球が通過する発射通路まで滞留する状況となると、結果的にパチンコ球の打ち出し自体が不可能になってしまう。特に、大当りの発生時のようにパチンコ球の打ち出しが要求される状況の場合に、このようなパチンコ球の発射不具合が生じると、遊技者に多大な不利益を与えることにも繋がりかねないことから、有効な改善策が求められている。
【０００７】
すなわち本発明は、従来の技術に係る遊技機に内在する前記課題に鑑み、これを好適に解決するべく提案されたものであって、ファール球回収通路へのファール球の滞留を検出可能な遊技機を提供することを目的とする。
【課題を解決するための手段】
【０００８】
前記課題を解決し、所期の目的を達成するため、本願の請求項１に係る発明は、
遊技盤(20)の遊技領域(20a)へ向けて発射される遊技球を貯留する球受け皿(17a)と、球払出装置(37)の作動により払出された遊技球を前記球受け皿(17a)に案内する払出し通路(75)と、前記遊技盤(20)の遊技領域(20a)へ向けて発射されて該遊技領域(20a)に到達しない遊技球を前記球受け皿(17a)に案内するファール球回収通路(80)とを備えた遊技機において、
前記払出し通路(75)の球出口(69)およびファール球回収通路(80)の球出口(70)が開口すると共に前記球受け皿(17a)に連通する合流部(65)と、
前記合流部(65)に設けられ、前記払出し通路(75)への遊技球の滞留に伴い作動位置に変位する第１作動部(92)と、
前記合流部(65)に設けられ、前記ファール球回収通路(80)への遊技球の滞留に伴い作動位置に変位する第２作動部(93)と、
前記第１作動部(92)および第２作動部(93)の作動位置への変位を検出して検出状態に切り替わり、検出状態に切り替わることで前記球払出装置(37)の作動を停止させる検出手段(98)と、
前記ファール球回収通路(80)の球出口(70)に設けられ、該ファール球回収通路(80)を閉鎖する閉鎖位置におよび該通路(80)を開放する開放位置に変位すると共に当該閉鎖位置へ付勢された逆流防止弁(102)と、
前記合流部(65)からファール球回収通路(80)への逆流防止弁(102)の開放動作を規制する開放規制部(85)とを備え、
前記逆流防止弁(102)は、前記ファール球回収通路(80)を流下する遊技球に押圧されることで前記閉鎖位置から開放位置に変位すると共に、前記合流部(65)に貯留された遊技球に押圧された際に前記開放規制部(85)が逆流防止弁(102)の開放動作を規制することで、合流部(65)からファール球回収通路(80)への遊技球の逆流を防止するよう構成され、
前記第１作動部(92)および第２作動部(93)は、単一の可動部材(91)に設けられると共に、該第１作動部(92)または第２作動部(93)が作動位置へ変位した際に、前記検出手段(98)で検出される検出部(97)が可動部材(91)に形成されたことを要旨とする。
このように、入賞口への入賞を契機として払出される遊技球が払出し通路に滞留するのに伴う第１作動部の作動位置への変位と、遊技領域に到達しない遊技球(ファール球)がファール球回収通路に滞留するのに伴う第２作動部の作動位置への変位とを検出手段で検出することで、球受け皿への賞球の払出しが停止するようにしたことで、球受け皿に過剰な遊技球が滞留するのを防止し得る。また、ファール球回収通路の球出口に、ファール球回収通路を開閉可能な逆流防止弁を設けて、当該ファール球回収通路を流下する遊技球に押圧された場合に限り逆流防止弁が開放動作し得るよう構成することで、合流部からファール球回収通路へ遊技球が逆流するのを防止でき、ファール球の発生に伴いファール球回収通路に滞留が生じたことを正確に検出することが可能となる。
また、第１作動部および第２作動部を単一の可動部材に設けることで、装置構成を単純化してコスト削減や省スペース化を図り得る。
【発明の効果】
【００１３】
本発明に係る遊技機によれば、ファール球回収通路へのファール球の滞留を検出することができる。
【図面の簡単な説明】
【００１４】
【図１】本発明の実施例に係るパチンコ機の斜視図である。
【図２】実施例に係るパチンコ機を前枠を開放した状態で示す斜視図である。
【図３】図２におけるＸ部の拡大図である。
【図４】実施例に係る中枠を背面から視た状態で示す斜視図であって、滞留検出手段を取り付けた状態を示す。
【図５】実施例に係る中枠基体部から合流通路ユニットを分解すると供に、ファール球受け部の形成位置を拡大して示す斜視図である。
【図６】実施例におけるパチンコ機を連絡通路の形成位置で縦断して示す側断面図である。
【図７】実施例に係る合流通路ユニットの分解斜視図である。
【図８】実施例に係る合流通路ユニットのベース部を示す斜視図であって、滞留検出手段を取り付けた状態を示す。
【図９】実施例に係る滞留検出手段の分解斜視図であって、機構設置部および検出センサの関係を示す。
【図１０】実施例に係る合流通路ユニットをカバー部を取り外した状態で示す平面図である。
【図１１】実施例に係る開閉部材の分解斜視図である。
【図１２】実施例に係る合流通路ユニットのベース部を示す平面図である。
【図１３】(a)は図１６のＣ−Ｃ線断面図であり、(b)は図１７のＤ−Ｄ線断面図である。
【図１４】図１０のＡ−Ａ線断面図であって、第１作動部が待機位置にある状態を示す。
【図１５】図１０のＡ−Ａ線断面図であって、第１作動部が作動位置にある状態を示す。
【図１６】図１０のＢ−Ｂ線断面図であって、第２作動部が待機位置で、開閉弁が閉鎖位置にある状態を示す。
【図１７】図１０のＢ−Ｂ線断面図であって、第２作動部が作動位置で、開閉弁が閉鎖位置にある状態を示す。
【図１８】図１０のＢ−Ｂ線断面図であって、第２作動部が作動位置で、開閉弁が開放位置にある状態を示す。
【図１９】別実施例に係る滞留検出手段の関係を示す概略図である。
【発明を実施するための形態】
【００１５】
次に、本発明に係る遊技機につき、好適な実施例を挙げて添付図面を参照しながら、以下詳細に説明する。なお、遊技機としては、一般的なパチンコ機１０を例にして説明する。なお、以下の説明において、前・後、左・右とは、特に断りのない限り、図１に示すようにパチンコ機１０を前側から見た状態において指称するものとする。
【実施例】
【００１６】
(パチンコ機１０の概略構成について)
実施例に係るパチンコ機１０の概略構成は、図１または図２に示すように、遊技店に設けられた図示しない設置枠台に縦置き姿勢で設置される固定枠としての外枠１１と、該外枠１１に対して着脱および開閉可能に枢支され、各種制御装置等の遊技機構成部品が設置される本体枠としての中枠１３と、該中枠１３に着脱交換可能に取り付けられて所要の遊技領域２０ａが画成された遊技盤２０と、該中枠１３の前面側に着脱および開閉可能に枢支されると共に遊技盤２０を透視保護する装飾枠としての前枠１４とを基本的に備えている。また、実施例のパチンコ機１０では、パチンコ球を貯留可能な球受け皿１７ａとしての球皿部材１７が前記前枠１４に一体的に配設されており、前枠１４の開閉動作に合わせて球皿部材１７が開閉するよう構成されている。すなわち、実施例のパチンコ機１０では、前記前枠１４が中枠１３の前側で開閉可能な開閉体として機能すると共に、該前枠１４が球皿部材１７としても機能している。そして、前記パチンコ機１０の前面側(実施例では前枠１４)における右下部位置には、パチンコ球の発射を制御する制御手段としての発射・払出し制御装置１３０(図４参照)に接続された操作ハンドル１８が配設されており、遊技者による操作ハンドル１８の回動操作により後述する球送り装置１９および打球発射装置４５(図２参照)が作動して、球受け皿１７ａに貯留されたパチンコ球が遊技盤２０の遊技領域２０ａに向けて１球ずつ発射されるよう構成されている。
【００１７】
(遊技盤２０について)
ここで、前記遊技盤２０は、図２に示すように、円弧状に湾曲する外レール２１および内レール２２が盤面(前面)に配設されて、該内外レール２１,２２の内側に画成される遊技領域２０ａ内に、図柄表示装置や入賞装置等の遊技用部品(何れも図示せず)が配置されている。また、前記遊技盤２０の左側部に位置する外レール２１および内レール２２は、パチンコ球が通過可能な距離だけ離間した状態で遊技領域２０ａの径方向に重なるよう構成されて、前記打球発射装置４５から発射されたパチンコ球を遊技領域２０ａへ案内する発射通路２３を画成している。ここで、図３に示すように、前記発射通路２３は、遊技盤２０の下端左寄り位置で下方に開口すると共に、遊技盤２０の左上部位置で遊技領域２０ａ内に開口しており、前記打球発射装置４５から発射されて発射通路２３の下方開口から飛翔するパチンコ球が遊技領域２０ａの上部位置に打ち出されるようになっている。そして、前記遊技領域２０ａを流下する過程で入賞装置に入賞したパチンコ球を図示しない入賞検出センサが検出することで、前記中枠１３に配設された賞球や貸球の払出しを制御する制御手段としての発射・払出し制御装置１３０に入賞検出信号が入力され、該入賞検出信号の入力に応じて発射・払出し制御装置１３０が後述する球払出装置３７(図４または図６参照)を作動制御して所定数の賞球を払い出すようになっている。なお、実施例では、パチンコ球の発射を制御する制御手段と賞球や貸球の払出しを制御する制御手段とが単一の制御装置により構成されているが、これに限られない。また、以下の説明においては、前記発射通路２３の下方開口を始端開口部２３ａと指称する。また、前記遊技盤２０には、前記遊技領域２０ａ内における最下部位置に、遊技盤２０の裏側に連通するアウト口２４が形成されており、前記入賞装置に入賞することなく遊技領域２０ａの最下部まで流下したパチンコ球がアウト口２４を介して遊技盤２０の外側に排出されるよう構成してある。
【００１８】
(外枠１１について)
前記外枠１１は、図２に示すように、前後に開口する矩形枠状に形成されており、該外枠１１の左上部位置および左下部位置に、当該外枠１１と中枠１３とを開閉可能に連結する外枠側ヒンジ部１１ａが取り付けられている。なお、実施例では、前記外枠１１は上縁を構成する上外枠部１２ａと、下縁を構成する下外枠部１２ｂと、左縁を構成する左外枠部(図示せず)と、右縁を構成する右外枠部１２ｃとから基本的に構成されて、上下の外枠部１２ａ,１２ｂが木製の板部材で形成されると共に、左右の外枠部１２ｃがアルミ等の金属部材で形成されている。また、前記下外枠部１２ｂの前端部には、左右方向の全長に亘って上方へ延出する輿板１２ｄが備えられており、上外枠部１２ａおよび左右の外枠部１２ｃと、下外枠部１２ｂの輿板１２ｄとにより、前記中枠１３が臨む前後に開口した開口部を画成するようになっている。なお、前記輿板１２ｄの高さは、遊技店において別途準備される球箱の高さよりも大きな寸法に設定されて、前枠１４に設けられた前記球皿部材１７の下方に位置するように球箱を輿板１２ｄの前側に設置し得るよう構成される。
【００１９】
(前枠１４について)
前記前枠１４は、図１、図２に示すように、前記外枠１１の開口形状に略整合する矩形状に形成された前枠基体部１５に、前後に貫通する窓口１５ａが開口する枠状に形成されており、該前枠１４を中枠１３に対して閉鎖した状態で、前記遊技盤２０に形成された遊技領域２０ａ(図２参照)が窓口１５ａを介して前方に露出するよう構成されている。そして、前記前枠基体部１５の裏面側には、前記窓口１５ａの開設位置に対応してガラス板等の透明な透視保護板が着脱可能に配設されており、パチンコ機１０の前側から遊技盤２０を視認可能な状態で透視保護している。なお、図２では、前記前枠１４に取り付けられる透視保護板を省略して示してある。また、前記前枠１４(前枠基体部１５)の左上部位置および左下部位置には、当該前枠１４を中枠１３に対して開閉可能に連結する前枠側ヒンジ部１４ａが設けられており、該前枠１４を中枠１３に対して閉鎖した際に、中枠１３の前面全体が前枠１４で被覆されるよう構成されている。
【００２０】
前記前枠１４(前枠基体部１５)の前面側には、図１、図２に示すように、上方へ開口する球受け皿１７ａを備えた前記球皿部材１７が前記窓口１５ａの下方位置に取り付けられており、該球受け皿１７ａ内に所定数のパチンコ球を一時的に貯留し得るようになっている。そして、前記前枠１４(前枠基体部１５)の後面側に、前記発射・払出し制御装置１３０に接続する球送り装置１９が前記球受け皿１７ａの下流端部に連通するよう設置されており、前記操作ハンドル１８の回動操作に基づいて球送り装置１９が作動して球受け皿１７ａに貯留されたパチンコ球を１球ずつ打球発射装置４５に送出すよう構成されている。なお、実施例では、前記前枠１４(前枠基体部１５)における球皿部材１７の右側方に、前記操作ハンドル１８が設置されている。また、前記前枠１４(前枠基体部１５)には、球受け皿１７ａの左端部側で開口する給出口１６が前後に貫通するよう開設されている。この給出口１６は、前記前枠１４を中枠１３に対して閉鎖した状態で、中枠１３に形成された後述の連絡通路５５に連通接続するよう構成され、該連絡通路５５を介してパチンコ球(賞球や貸球、ファール球)が球受け皿１７ａへ給出されるようになっている。
【００２１】
また、実施例に係る前記球皿部材１７には、前記球受け皿１７ａの内部(例えば底面)で開口すると共に該球皿部材１７の下面に開口する球抜き路(図示せず)が形成されている。前記球抜き路の球受け皿１７ａ側の開口は、前記球皿部材１７に配設された球抜き操作ボタン１７ｂ(図１参照)の操作に応じて開閉するシャッタ部材(図示せず)により閉鎖されており、該球抜き操作ボタン１７ｂを操作してシャッタ部材を開閉動作させることで、球受け皿１７ａに貯留されたパチンコ球を球皿部材１７の下方に設置した球箱に直接抜き出し得るようになっている。このように、実施例のパチンコ機１０は、パチンコ球を貯留する球受け皿１７ａを前面側に１つだけ備えた所謂「一枚皿タイプ」のパチンコ機１０として構成されている。また、前記球皿部材１７の上面には、貸球操作ボタン１７ｃが上面に設けられており、該貸球操作ボタン１７ｃを遊技者が押下することで、前記発射・払出し制御装置１３０に貸球払出し信号が入力され、前記中枠１３に設けられた球払出装置３７が作動されて所定数の貸球が球受け皿１７ａに払い出されるようになっている。なお、前記前枠基体部１５の前面には、前記窓口１５ａの周囲を囲繞するよう各種の装飾部材１５ｂやランプ装置等が配設されて、パチンコ機１０の前面を装飾している。
【００２２】
(中枠１３について)
前記中枠１３は、図２に示すように、前記外枠１１の開口形状に略整合すると共に上方側に偏った位置で前後に開口する矩形枠状に形成されており、該中枠１３の左上部位置および右下部位置に、当該中枠１３と外枠１１とを開閉可能に連結すると共に中枠１３と前枠１４とを開閉可能に連結する中枠側ヒンジ部１３ａが設けられている。すなわち、前記中枠１３は、前記外枠側ヒンジ部１１ａと中枠側ヒンジ部１３ａとを連結することで、中枠１３の左側部が外枠１１に対して開閉可能に枢支され、中枠側ヒンジ部１３ａと前枠側ヒンジ部１４ａとを連結することで、中枠１３および前枠１４の左側部が相対的に開閉可能に枢支されるようになっている。また、実施例における外枠１１、中枠１３および前枠１４の夫々は、各ヒンジ部１１ａ,１３ａ,１４ａに相対的に設けられた支持軸および軸孔の軸支構造により開閉可能に連結されるようになっている。
【００２３】
ここで、前記中枠１３は、図４に示すように、前記遊技機構成部品が設置される設置部として機能する中枠基体部３０と、中枠基体部３０の左右側部に設けられて中枠１３の左右側縁をなす左右の中枠部３２,３３と、該左右の中枠部３２,３３の上端部に設けられて中枠１３の上縁をなす上中枠部３１とから構成されて、これら各部材３０〜３３を組み付けた際に、全体が前記外枠１１の開口形状に整合する大きさの枠体状に形成される。そして、前記中枠基体部３０と各中枠部３１〜３３とを組み付けた際に画成される開口部(以下、遊技盤設置部４０という)の開口内側に、前記遊技盤２０が着脱可能に設置されている。なお、前記中枠１３を構成する中枠基体部３０と各中枠部３１〜３３は独立した部材である必要はなく、中枠基体部３０および各中枠部３１〜３３の内の複数または全てを樹脂等で一体成形することも可能である。
【００２４】
また、図４に示すように、前記中枠１３の裏側上方位置には、遊技店に設けられた図示しない球供給設備から供給されるパチンコ球を貯留する球タンク４１が配置されると共に、該球タンク４１に貯留されたパチンコ球を所定列数に整列して流下させるタンクレール４２が設けられている。前記中枠１３の裏側には、前記遊技盤設置部４０の下方に、前記球受け皿１７ａに連通する合流通路ユニット６０(図４、図５参照)が設けられており、前記球タンク４１およびタンクレール４２の下方に離間して合流通路ユニット６０が配置されている。そして、前記タンクレール４２および合流通路ユニット６０に架け渡された球払出しユニット３５を介して、該タンクレール４２と合流通路ユニット６０とを連通接続するよう構成されて、球タンク４１に貯留されたパチンコ球がタンクレール４２、球払出しユニット３５および合流通路ユニット６０を介して球受け皿１７ａに供給されるようになっている。
【００２５】
ここで、前記球払出しユニット３５は、図４、図６に示すように、前記タンクレール４２に連通される上流側通路３６と、前記合流通路ユニット６０に連通される下流側通路３８と、該上流側通路３６の下流端および下流側通路３８の上流端を連通して、前記発射・払出し制御装置１３０からの制御信号に基づいて作動する球払出装置３７とを備えている。すなわち、前記球払出装置３７が停止した状態においては前記設置枠台に設けた球供給設備から前記球タンク４１に供給されたパチンコ球が前記上流側通路３６に充填された状態で貯留され、前記発射・払出し制御装置１３０からの賞球または貸球の払出し信号に基づいて作動した球払出装置３７により、該上流側通路３６に貯留されたパチンコ球が下流側通路３８に案内されることで、最終的に賞球または貸球として前記球受け皿１７ａに給出されるよう構成されている。なお、前記上流側通路３６の下流端には、パチンコ機１０の外部に設けられた球回収設備へパチンコ球を回収する球抜き通路３９が分岐するよう設けられており(図６参照)、該分岐位置に設けた球抜き弁３９ａを開放することで、上流側通路３６のパチンコ球が球抜き通路３９を介して回収されるようになっている。
【００２６】
(中枠基体部３０について) 
前記中枠基体部３０の前面には、図２〜図３に示すように、前記遊技盤設置部４０に設置された遊技盤２０の盤面(前面)と略同一平面上に位置する発射装置設置部４３が形成されており、前記操作ハンドル１８の操作により作動してパチンコ球を前記発射通路２３に向けて発射する打球発射装置４５が発射装置設置部４３に設置されている。前記打球発射装置４５は、前記発射通路２３の始端開口部２３ａを指向する傾斜姿勢で発射装置設置部４３に設置されると共に前記球送り装置１９から送出されるパチンコ球を発射待機位置に保持する発射レール４５ａと、操作ハンドル１８の操作に応じて作動され、発射レール４５ａにおける発射待機位置に保持されたパチンコ球を打球する打球杆４５ｂとを備えており、打球杆４５ｂにより打球されたパチンコ球が発射レール４５ａに沿って発射通路２３へ向けて発射されるようになっている。また、前記中枠基体部３０の上端部には、前記発射レール４５ａの延長線上に、前記発射通路２３の始端開口部２３ａに開口する発射口４４が設けられており、前記発射レール４５ａに沿って発射されたパチンコ球が発射口４４を介して発射通路２３へ移動し得るよう構成されている。そして、前記発射通路２３に発射されたパチンコ球が、前記外レール２１に沿って遊技領域２０ａへ向けて案内される。
【００２７】
また、前記中枠基体部３０には、図３に示すように、前記前枠１４を中枠１３に対して閉鎖した状態で前記給出口１６と対応する位置に、中枠基体部３０の前後に貫通する連絡通路５５が設けられて、該前枠１４を中枠１３に対して閉鎖することで連絡通路５５の前方開口(球出口)に給出口１６が連通接続するよう構成されている。前記連絡通路５５の後方開口(球入口)には、前記合流通路ユニット６０の球流下経路部６５,７５,８０が連通接続するよう構成されており、該合流通路ユニット６０の球流下経路部６５,７５,８０に到来したパチンコ球(賞球や貸球、ファール球)が連絡通路５５および給出口１６を介して球受け皿１７ａに案内されるようになっている(図６参照)。なお、前記連絡通路５５は、前記中枠基体部３０の左端部近傍に位置するよう形成されている。
【００２８】
また、前記中枠基体部３０には、前記連絡通路５５の球出口に、該連絡通路５５をパチンコ球が通過不能な通過規制位置および当該連絡通路５５をパチンコ球が通過可能な通過許容位置に回転変位可能な球止め部材５６が配設されている。前記球止め部材５６は、バネ等の付勢手段５７により前記通過規制位置へ向けて常時付勢されており、前記中枠１３に対して前枠１４を開放して前記給出口１６と連絡通路５５とが分離した状態において、前記連絡通路５５からパチンコ球が前方へ零れ落ちるのを防止するよう構成されている。また、前記中枠１３に対して前枠１４を閉鎖した状態では、前記前枠１４の給出口１６の開口縁に形成された押圧部１６ａが球止め部材５６の作動片５８を押圧することで、該球止め部材５６を通過規制位置から通過許容位置へ強制変位させるよう構成されており、前記連絡通路５５から球受け皿１７ａへパチンコ球が移動し得るようになっている。なお、図３では、球止め部材５６を通過許容位置へ変位させた状態を示している。
【００２９】
また、前記中枠基体部３０には、図３に示すように、前記発射通路２３に飛翔したパチンコ球の内で、前記遊技領域２０ａまで到達する勢いがなく発射通路２３を逆流したパチンコ球(所謂ファール球)を回収するファール球受け部５０が設けられている。前記ファール球受け部５０は、前記中枠基体部３０の上面(遊技盤２０保持部側)で上方開口する受入れ口５１と、該中枠基体部３０の後面で後方開口する排出口５２とを備え、該受入れ口５１から排出口５２へ向けて下方傾斜する皿状に形成されている。すなわち、前記ファール球受け部５０の受入れ口５１に流入したパチンコ球は、前記排出口５２に誘導されて中枠基体部３０の裏側へ排出されるようになっている。また、前記ファール球受け部５０の排出口５２は、後述するように前記合流通路ユニット６０の球流下経路部６５,７５,８０に連通接続しており、ファール球受け部５０に受入れたファール球が合流通路ユニット６０を介して球受け皿１７ａに回収されるようになっている。
【００３０】
ここで、前記ファール球受け部５０の受入れ口５１は、図３に示すように、前記発射通路２３の始端開口部２３ａ内で開口するよう構成されており、該発射通路２３を逆流したファール球がファール球受け部５０に流入するよう構成されている。より具体的には、前記ファール球受け部５０の受入れ口５１が前記発射通路２３を画成する外レール２１の下端部で開口するよう前記中枠基体部３０に設けられている。すなわち、前記中枠基体部３０には、前記発射通路２３の始端開口部２３ａにおいて、前記打球発射装置４５により発射されたパチンコ球が通過する発射口４４よりも外側(外レール２１側)に前記ファール球受け部５０が発射口４４に隣接して設けられており、前記外レール２１に沿って流下するファール球が発射口４４側に戻ることなくファール球受け部５０の受入れ口５１に流入するようになっている。
【００３１】
(合流通路ユニット６０について)
次に、前記合流通路ユニット６０の構成について説明する。図７に示すように、前記合流通路ユニット６０は、ユニット本体としての本体部６１と、該本体部６１に形成されてパチンコ球が流下する球流下経路部６５,７５,８０と、該球流下経路部６５,７５,８０でのパチンコ球の滞留を検出する滞留検出手段９０とを備えており、前記中枠１３(中枠基体部３０)の裏側に本体部６１がネジ等で固定されるようになっている。ここで、実施例の本体部６１は、上方開口する箱状に形成されると共に前記球流下経路部６５,７５,８０が画成されるベース部６２と、該ベース部６２に取り付けられて当該ベース部６２(球流下経路部６５,７５,８０)の上方開口を塞ぐカバー部６３と、前記滞留検出手段９０が設置される機構設置部６４とから構成されて、ベース部６２に対してカバー部６３および機構設置部６４を取り付けた全体で、前記連絡通路５５の球入口およびファール球受け部５０の排出口５２を塞ぐ大きさの箱状に形成されている。なお、前記合流通路ユニット６０(本体部６１)の上面および外側面は補強板６０ａで被覆されており、該合流通路ユニット６０の剛性を高めている。
【００３２】
また、前記合流通路ユニット６０の本体部６１には、前記連絡通路５５の球入口およびファール球受け部５０の排出口５２と対応する位置に、前記球流下経路部６５,７５,８０に開口する連通口６１ａ,６１ｂが夫々前方開口するよう開設されており、球流下経路部６５,７５,８０から連絡通路５５へのパチンコ球の移動を可能にすると共に、ファール球受け部５０から球流下経路部６５,７５,８０へのパチンコ球(ファール球)の移動を可能にしている。なお、以下の説明では、連絡通路５５の球入口に連通する連通口を第１連通口６１ａと指称し、ファール球受け部５０の排出口５２に連通する連通口を第２連通口６１ｂと指称する。すなわち、実施例では、第１連通口６１ａの右側方に第２連通口６１ｂが位置するよう前記本体部６１に各連通口６１ａ,６１ｂが形成されている。
【００３３】
ここで、前記合流通路ユニット６０に形成される前記球流下経路部６５,７５,８０は、図７〜図８、図１２に示すように、前記連絡通路５５に連通する球貯留部(合流部)６５と、前記球払出しユニット３５の下流側通路３８に連通すると共に球貯留部６５に連通する払出し球通路７５と、前記ファール球受け部５０に連通すると共に球貯留部６５に連通するファール球通路８０とが設けられており、該合流通路ユニット６０を介して下流側通路３８およびファール球受け部５０の夫々が連絡通路５５(球受け皿１７ａ)に連通するようになっている。すなわち、前記球払出装置３７の作動により払出された賞球や貸球は、前記下流側通路３８および払出し球通路７５を介して球貯留部６５に一旦移動した後に、前記球受け皿１７ａへ給出されると共に、前記打球発射装置４５の発射に伴い発生したファール球は、前記ファール球受け部５０およびファール球通路８０を介して球貯留部６５に一旦移動した後に、球受け皿１７ａへ回収されるようになっている。このように、実施例のパチンコ機１０では、前記合流通路ユニット６０の払出し球通路７５が前記賞球を前記球受け皿１７ａへ案内する賞球払出し通路の一部を構成し、該合流通路ユニット６０のファール球通路８０が前記ファール球を前記球受け皿１７ａに案内するファール球回収通路の一部を構成しており、賞球や貸球として遊技者に払出されるパチンコ球が通過する経路と、発射不良に伴いファール球として回収されるパチンコ球が通過する経路とが球貯留部６５において合流するようになっている。
【００３４】
(球貯留部６５について)
前記球貯留部６５は、図５、図８に示すように、前記第１連通口６１ａを介して前記本体部６１の前方へ開口するよう構成されており、前記合流通路ユニット６０を中枠１３(中枠基体部３０)に取り付けた際に、該球貯留部６５の第１連通口６１ａが前記連絡通路５５の球入口に連通するようになっている。そして、前記球貯留部６５の底面６８は前方(第１連通口６１ａ)へ向けて一様に下方傾斜するよう形成されており、該球貯留部６５にあるパチンコ球を連絡通路５５へ向けて転動させるよう構成されている。ここで、前記球貯留部６５は、一定量のパチンコ球(例えば２００〜３００球程度)を貯留し得る容積の空間を画成しており、前記球受け皿１７ａが満杯になって受入れ不能なパチンコ球を、該球貯留部６５に一時的に貯留し得るよう構成されている。
【００３５】
前記球貯留部６５の右側面を画成する右内側壁６６には、図８、図１０、図１２に示すように、該球貯留部６５に開口する第１接続口６９および第２接続口７０が前後に離間する位置に形成されており、該第１接続口６９および第２接続口７０に対応して前記払出し球通路７５およびファール球通路８０の夫々が個別に連通するようになっている。ここで、実施例では、前記球貯留部６５の内部後方側(奥側)に位置する第１接続口６９に、前記払出し球通路７５が連通接続し、該球貯留部６５の内部前方側(手前側)に位置する第２接続口７０(ファール球通路８０の球出口)に、前記ファール球通路８０が連通接続するよう構成されている。すなわち、実施例では、前記ファール球通路８０は、前記払出し球通路７５よりも前記球貯留部６５が球受け皿１７ａに連通する第１連通口６１ａに近接位置するよう設けられている。そして、第１接続口６９が払出し球通路７５の球出口として機能すると共に、第２接続口７０がファール球通路８０の球出口として機能している。
【００３６】
また、前記球貯留部６５の左側面を画成する左内側壁６７は、図８、図１０、図１２に示すように、前記第１連通口６１ａに繋がる前端部から前記第１接続口６９に対向する球貯留部６５の後端部へ向かうにつれて、前記右内側壁６６側に近接する湾曲面状に形成されている。これにより、前記第１接続口６９または第２接続口７０を介して球貯留部６５に流入して左内側壁６７側へ移動したパチンコ球(賞球や貸球、ファール球)を速やかに第１連通口６１ａへ誘導し得るようになっている。また、前記球貯留部６５の底面６８には、前記第１接続口６９に対向する左内側壁６７側に、該球貯留部６５内に突出する膨出部６８ａが形成されており、該第１接続口６９(払出し球通路７５)を介して球貯留部６５に流入したパチンコ球(賞球や貸球)の転動方向が速やかに第１連通口６１ａへ向くよう誘導している。すなわち、賞球や貸球の払出しが遅れて球受け皿１７ａ内のパチンコ球が無くなるのを防止している。ここで、前記球貯留部６５の底面６８からの膨出部６８ａの突出高さは、該底面６８から膨出部６８ａ上にパチンコ球が乗り上げ可能な程度(例えばパチンコ球の直径の１／１０〜１／３程度)に設定されており、該球貯留部６５に貯留可能なパチンコ球数を減らすことなく、パチンコ球の転動方向を第１連通口６１ａへ誘導し得るようにしてある。なお、前記膨出部６８ａの周縁部は、円弧状に面取りされており、該膨出部６８ａへパチンコ球が容易に乗り上げ得るようにしてある。
【００３７】
ここで、図８、図１４等に示すように、前記球貯留部６５の底面６８は、前記払出し球通路７５(後述する前方通路７７)の底面７５ａよりも下方に位置するよう構成されている。また、前記球貯留部６５の底面６８には、前記払出し球通路７５の合流位置(第１接続口６９の直下流位置)に、上下に貫通する第１挿入孔７１が開設されており、前記滞留検出手段９０における後述する第１作動部９２が第１挿入孔７１を介して球貯留部６５内に突出するよう構成されている。すなわち、前記球貯留部６５にパチンコ球が滞留した状態で前記払出し球通路７５(前方通路７７)を介して球貯留部６５にパチンコ球(賞球や貸球)が流入するのに伴い、前記第１作動部９２上にパチンコ球が滞留して作動するよう構成されている。
【００３８】
また、前記第１挿入孔７１の開口縁部には、図８、図１４に示すように、球貯留部６５の内部へ突出する規制壁７２が形成されており、該球貯留部６５に貯留可能なパチンコ球数を確保すると共に、第１挿入孔７１を介して球貯留部６５内に突出する前記第１作動部９２の側面に、球貯留部６５内に滞留したパチンコ球の圧力が掛かるのを抑制して、該第１作動部９２の作動不良を防止している。なお、実施例では、前記球貯留部６５の底面６８からの規制壁７２の突出高さは、パチンコ球の直径と同程度に設定されており、該球貯留部６５の底面６８上にあるパチンコ球が規制壁７２に乗り上げるのを規制することにより、当該球貯留部６５に積み重なるよう貯留されたパチンコ球の最下段にあるパチンコ球が第１作動部９２に直接接触しないよう構成されている。
【００３９】
(払出し球通路７５について)
図８、図１０、図１２に示すように、前記払出し球通路７５は、前記本体部６１の後端部に形成されて前記球払出しユニット３５の下流側通路３８に連通する後方通路７６と、該後方通路７６を前記第１接続口６９に接続させる前方通路７７とから構成されている。ここで、前記後方通路７６は、前記球払出しユニット３５の下流側通路３８の延在方向(実施例では図１０において左から右方向)へ下方傾斜すると共に、該後方通路７６の通路幅を１個のパチンコ球が一列で通過可能な寸法に設定されており、球払出しユニット３５(下流側通路３８)から合流通路ユニット６０(払出し球通路７５)に流入するパチンコ球(賞球や貸球)を、球詰まりすることなくそのままスムーズに流下させ得るようになっている。
【００４０】
また、前記払出し球通路７５の前方通路７７は、前記後方通路７６の下流端部(右端部)に連通すると共に当該後方通路７６の前方側に重なるよう位置して、左方向へ下方傾斜する折返し形状に形成されている。ここで、前記前方通路７７の通路幅は、複数個(実施例では２個)のパチンコ球が並んで通過可能な寸法に設定されており、払出し球通路７５における折返し後の通路幅を拡大させることで、一度に多数払出されるパチンコ球(賞球や貸球)を速やかに球貯留部６５へ案内し得るようになっている。なお、前記第１作動部９２は、前記前方通路７７の全幅に亘って臨むよう構成されており、払出し球通路７５を通過したパチンコ球(賞球や貸球)の全てが第１作動部９２上に移動するようになっている。また、前記払出し球通路７５における後方通路７６と前方通路７７との接続部(すなわち払出し球通路７５の折返し部)は、複数(実施例では２個)のパチンコ球が並んで通過可能な寸法に設定され、該後方通路７６から前方通路７７に流入するパチンコ球(賞球や貸球)の球詰まりを防止している。更に、前記払出し球通路７５の折返し部は、前記後方通路７６より前方通路７７が下方に位置する段差状に形成されており(図８参照)、該折返し部で停留することなくパチンコ球(賞球や貸球)が後方通路７６から前方通路７７へスムーズに流下し得るようになっている。
【００４１】
(ファール球通路８０について)
前記ファール球通路８０は、図８、図１０、図１２に示すように、前記第２連通口６１ｂから第２接続口７０へ向けて緩やかに屈曲するよう構成されており、前記合流通路ユニット６０を中枠１３(中枠基体部３０)に取り付けた際に、該ファール球通路８０の第２連通口６１ｂが前記ファール球受け部５０の排出口５２に連通するようになっている。すなわち、前記ファール球通路８０の後面を画成する後壁８２は、前記第２連通口６１ｂの右側開口縁から第２接続口７０の後側開口縁に向かうにつれて緩やかに湾曲した曲面形状に形成されると共に、該ファール球通路８０の前面を画成する前壁８３は、第２連通口６１ｂの左側開口縁から第２接続口７０の前側開口縁に向かうにつれて緩やかに湾曲した曲面形状に形成されて、ファール球受け部５０の排出口５２から第２連通口６１ｂを介してファール球通路８０に流入するパチンコ球(ファール球)をスムーズに球貯留部６５へ案内するよう構成されている。ここで、ファール球通路８０の通路幅は、複数(実施例では２個)のパチンコ球が並んで流下可能な寸法に設定されており、前記ファール球受け部５０からファール球通路８０に流入するパチンコ球(ファール球)の球詰まりを防止しつつ、速やかに球貯留部６５まで案内し得るようになっている。
【００４２】
また、前記ファール球通路８０における前記第２連通口６１ｂの下縁部に連なる底面８１には、図１２に示すように、前記第２接続口７０の直上流位置(球貯留部６５との合流位置)に、上下および後方に貫通する第２挿入孔８４が開設されており、前記滞留検出手段９０における後述する第２作動部９３が第２挿入孔８４を介して球貯留部６５内に臨んでいる。すなわち、前記ファール球受け部５０を介して流入するパチンコ球(ファール球)が前記ファール球通路８０に滞留するのに伴い第２作動部９３が作動し得るよう構成されている。ここで、前記第２挿入孔８４は、前記ファール球通路８０の下流端部において後方側(球貯留部６５の奥側)に偏った位置に設けられており、該ファール球通路８０の後壁８２に沿って流下するパチンコ球(ファール球)が第２作動部９３へ誘導されるようになっている。ここで、前記ファール球通路８０の底面８１は、前記後壁８２に連設すると共に前記第２連通口６１ｂから前記第２挿入孔８４(第２作動部９３)へ向けて連続して下方傾斜する後方傾斜面８１ａと、該後方傾斜面８１ａの前側に位置して前記前壁８３に連設すると共に後側(後方傾斜面８１ａ側)へ向けて下方傾斜する前方傾斜面８１ｂとから構成されており、前記ファール球受け部５０からファール球通路８０に流入するパチンコ球(ファール球)を、後方傾斜面８１ａに沿って転動させて第２作動部９３へ誘導するようになっている。
【００４３】
更に、前記ファール球通路８０における前記第２作動部９３の下流側には、該ファール球通路８０の底面８１より所定高さだけ下がった段差部８６が形成されており、該段差部８６に前記第２接続口７０が連通するようになっている。すなわち、前記ファール球通路８０の底面８１は、前記球貯留部６５の底面６８より上方に位置している。なお、実施例では、前記球貯留部６５の底面６８からの段差部８６の高さは、パチンコ球の直径と同程度に設定してある。また、前記ファール球通路８０の前壁８３および後壁８２には、前記第２挿入孔８４(第２作動部９３)と対応する位置に、後述する開閉部材１００の揺動を規制する開放規制部８５が設けられている。
【００４４】
(滞留検出手段９０について)
次に、前記滞留検出手段９０について説明する。図７、図９に示すように、前記滞留検出手段９０は、前記払出し球通路７５へのパチンコ球の滞留に伴い作動位置(図１３(b)、図１５、図１７、図１８参照)に変位する第１作動部９２と、前記ファール球通路８０へのパチンコ球の滞留に伴い作動する第２作動部９３と、第１作動部９２および第２作動部９３の作動位置への変位を検出して検出状態に切り替わる検出手段としての検出センサ９８とから基本的に構成されている。ここで、実施例の第１作動部９２および第２作動部９３は、前記機構設置部６４に揺動自在に枢支される揺動部材９１に一体的に設けられており、第１作動部９２および第２作動部９３の何れか一方の作動部９２,９３が作動位置へ変位するのに伴い他方の作動部９２,９３も作動位置に変位するよう構成されている。
【００４５】
前記揺動部材９１は、図９、図１３、図１４に示すように、前記第１作動部９２の側縁部(図９の右側縁部)から延出片９４が前方へ延出すると共に、該延出片９４の前端部に、前記第２作動部９３が形成されており、前記ベース部６２と機構設置部６４とを組み付けた際に、前記球貯留部６５に形成された前記第１挿入孔７１に第１作動部９２が下方から挿入されると共に、前記ファール球通路８０に形成された前記第２挿入孔８４に第２作動部９３が後方から挿入されるようになっている。また、前記揺動部材９１の後端部には、左右方向に延在する軸孔９１ａが形成されており、該軸孔９１ａに挿通された揺動軸９５を前記機構設置部６４に枢支することで、揺動部材９１が上下方向に揺動変位し得るよう機構設置部６４に取り付けられている。そして、前記揺動軸９５に付勢手段９６としての捻りバネが介装されており、前記揺動部材９１を上方(第１作動部９２および第２作動部９３が対応の第１挿入孔７１および第２挿入孔８４から上方へ突出する方向)へ向けて付勢するよう構成されている。
【００４６】
ここで、前記揺動部材９１には、前記第１作動部９２の前端部に係合フック９１ｂが形成されており、該係合フック９１ｂが前記第１挿入孔７１の開口下端縁に係合することで、揺動部材９１の上方への揺動変位が規制されるようになっている(図１４参照)。また、前記揺動部材９１の下方への揺動変位は、該揺動部材９１(第２作動部９３)の前端下部が機構設置部６４に接触することで規制されるよう構成されている。すなわち、前記揺動部材９１(第１作動部９２および第２作動部９３)は、前記係合フック９１ｂが第１挿入孔７１の開口下端縁に係合する状態と、揺動部材９１(第２作動部９３)の前端下部が機構設置部６４に接触する状態の範囲で揺動し得るようになっている。以下の説明では、前記捻りバネの付勢に伴い前記揺動部材９１が上方へ揺動した状態における前記第１作動部９２および第２作動部９３の位置を待機位置と指称し(図１３(ａ)、図１４、図１６参照)、該捻りバネの付勢に抗して揺動部材９１が下方へ揺動した状態における第１作動部９２および第２作動部９３の位置を作動位置と指称するものとする(図１３(b)、図１５、図１７、図１８参照)。なお、図１５等における符号Ｐはパチンコ球を示している。
【００４７】
(第１作動部９２について)
前記第１作動部９２は、図８、図１０、図１４に示すように、前記第１挿入孔７１の開口形状に略整合する形状に形成されており、前記払出し球通路７５を通過したパチンコ球が第１挿入孔７１から機構設置部６４側に落下するのを防止している。ここで、前記第１作動部９２が待機位置にある状態では、前記払出し球通路７５(前方通路７７)の底面７５ａと第１作動部９２の上面９２ａとが同一面上に位置するか、或いは該払出し球通路７５(前方通路７７)の底面７５ａより第１作動部９２の上面９２ａが下方に位置するよう構成されており、該払出し球通路７５(前方通路７７)を通過したパチンコ球が第１作動部９２上に移動し得るようになっている。なお実施例では、前記第１作動部９２が待機位置にある状態では、前記払出し球通路７５(前方通路７７)の底面７５ａより第１作動部９２の上面９２ａが下方に位置している。また、前記第１作動部９２が作動位置にある状態では、前記球貯留部６５に形成された規制壁７２の上端部より第１作動部９２の上面９２ａが上方に位置するよう構成されており、該第１作動部９２の上面９２ａ上にあるパチンコ球の動きが規制壁７２で制限されないようになっている。
【００４８】
そして、前記第１作動部９２上にパチンコ球(賞球や貸球)が乗ると、パチンコ球の重みによって前記揺動部材９１が揺動して第１作動部９２が待機位置から作動位置に移動すると共に(図１４、図１５参照)、当該第１作動部９２上のパチンコ球が球貯留部６５の底面６８側に移動することで、前記捻りバネの付勢により揺動部材９１が待機位置に復帰するよう構成されている。また、前記第１作動部９２が待機位置および作動位置の何れにある状態にあっても、該第１作動部９２の上面９２ａが前方(第１連通口６１ａ)へ向けて下方傾斜するよう構成されている。すなわち、前記払出し球通路７５を通過して第１作動部９２上に到来したパチンコ球は、該第１作動部９２が待機位置および作動位置の何れにある状態にあっても、前記第１連通口６１ａへ向けて球貯留部６５の底面６８側へ案内されるようになっている。
【００４９】
(第２作動部９３について)
前記第２作動部９３は、図９，図１１、図１３(a)、図１６に示すように、前記第２挿入孔８４の開口形状に略整合する形状に形成されており、ファール球通路８０を通過したパチンコ球が第２挿入孔８４から機構設置部６４側に落下するのを防止している。ここで、前記第２作動部９３が待機位置にある状態では、前記ファール球通路８０の底面８１(後方傾斜面８１ａ)と第２作動部９３の上面９３ａとが同一面上に位置するか、或いは該ファール球通路８０の底面８１(後方傾斜面８１ａ)より第２作動部９３の上面９３ａが下方に位置するよう構成されており、該ファール球通路８０を通過したパチンコ球が第２作動部９３上に移動し得るようになっている。なお、実施例では、前記第２作動部９３が待機位置にある状態において、前記ファール球通路８０の底面８１(後方傾斜面８１ａ)と第２作動部９３の上面９３ａとが略同一面上に位置している。そして、前記第２作動部９３上にパチンコ球(ファール球)が乗ると、パチンコ球の重みによって前記揺動部材９１が揺動して第２作動部９３が待機位置から作動位置に移動すると共に、当該第２作動部９３上のパチンコ球が球貯留部６５の底面６８側に移動することで、前記捻りバネの付勢により揺動部材９１が待機位置に復帰するよう構成されている。
【００５０】
図１７に示すように、前記第２作動部９３が作動位置にある状態では、前記段差部８６の底面８６ａ(球貯留部６５の底面６８)と第２作動部９３の上面９３ａとが同一面上に位置するか、或いは該球貯留部６５の底面６８より第２作動部９３の上面９３ａが上方に位置するよう構成されており、該作動位置にある第２作動部９３上にあるパチンコ球が球貯留部６５側へ転動し得るよう構成されている。なお、実施例では、前記第２作動部９３が作動位置にある状態において、前記球貯留部６５の底面６８よりも第２作動部９３の上面９３ａの方が僅かに上方に位置している。更に、前記第２作動部９３が待機位置および作動位置の何れにある状態にあっても、該第２作動部９３の上面９３ａが第２接続口７０(球貯留部６５)へ向けて下方傾斜するよう構成されており、当該第２作動部９３上にあるパチンコ球を第１連通口６１ａへ案内するようになっている。
【００５１】
また、前記揺動部材９１には、前記第１作動部９２と第２作動部９３とを繋ぐ前記延出片９４の下面側に、下方へ向けて延出する検出片９７が形成されている(図１３参照)。そして、前記機構設置部６４には、前記揺動部材９１の検出片９７と対応する位置に、該検出片９７を検出する検出センサ９８が設置されており、当該揺動部材９１が待機位置から作動位置に変位した際に、検出センサ９８が検出片９７を検出するよう構成されている。ここで、前記検出センサ９８は、前記球払出装置３７による賞球や貸球の払出しを制御する前記発射・払出し制御装置１３０に接続されており、該検出センサ９８による検出片９７の検出状態に基づいて発射・払出し制御装置１３０が球払出装置３７の作動を制御するよう設定されている。具体的には、前記検出センサ９８が検出片９７を非検出となる非検出状態の場合に賞球や貸球の払出しの実行を許容する一方で、該検出センサ９８が検出片９７を検出する検出状態に切り替わることで賞球や貸球の払出しを停止するよう前記球払出装置３７を発射・払出し制御装置１３０が制御している。なお、実施例では、前記検出センサ９８として受光部９８ａと発光部９８ｂとが所定間隔離間して対向配置されたフォトインタラプタが採用されている。なお、実施例では、前記検出センサ９８は、前記機構設置部６４の下面に取り付けられる取付ホルダ９９の取付凹部９９ａに嵌合固定して、該取付ホルダ９９を機構設置部６４に固定することで所定位置に取り付けられている。
【００５２】
実施例では、前記検出センサ９８が検出片９７を検出する検出状態に切り替ってから、該検出状態が規定時間に亘って継続した場合に、前記球払出装置３７による払出しを停止させるよう前記発射・払出し制御装置１３０が設定されている。ここで、前記球払出装置３７による払出しを停止させる基準となる規定時間としては、前記払出し球通路７５を通過するパチンコ球(賞球や貸球)が第１作動部９２上を通過する際に、該パチンコ球の重みで待機位置から作動位置に検出片９７が変位する時間だけ検出センサ９８が検出する時間よりも長い時間に設定される。また同様に、規定時間としては、前記ファール球通路８０を通過するパチンコ球(ファール球)が第２作動部９３上を通過する際に、該パチンコ球の重みで待機位置から作動位置に検出片９７が変位する時間だけ検出センサ９８が検出する時間よりも長い時間に設定される。なお、実施例では規定時間として数秒(例えば３秒)の時間が設定されている。これにより、賞球や貸球が払出されたり、ファール球が発生する度に球払出装置３７の作動が停止されるのを防止している。
【００５３】
(開閉弁１０２について)
次に、前記ファール球通路８０に設けられる開閉部材１００について説明する。図７、図８、図１０、図１１に示すように、前記開閉部材１００は、前記合流通路ユニット６０の本体部６１に取り付けられる支持部１０１と、前記ファール球通路８０の経路途中に位置するよう支持部１０１に揺動可能に支持され、該ファール球通路８０を閉鎖する閉鎖位置(図１６参照)および該通路８０を開放する開放位置(図１８参照)に変位可能な開閉弁１０２とから基本的に構成されている。実施例では、前記ファール球通路８０の下流端部(第２接続口７０)に前記開閉弁１０２が位置するよう前記開閉部材１００が前記合流通路ユニット６０の本体部６１に取り付けられて、該第２接続口７０を開閉弁１０２で開閉するよう構成されている。
【００５４】
前記支持部１０１は、図８、図１０等に示すように、前記ファール球通路８０を横断する長さに形成された基部１０１ａの両端部に係止爪１０１ｂを備えており、前記本体部６１に形成された係止孔１０７に係止爪１０１ｂを係止することで、ファール球通路８０を跨るよう本体部６１に取り付けられる。また、前記支持部１０１の基部１０１ａは、前記ファール球通路８０の下流から上流側に向けて上方傾斜する傾斜状部１０１ｃが形成されており、第２接続口７０側から挿入されて基部１０１ａの傾斜状部１０１ｃに当接したワイヤ等の不正具を上方へ誘導して、前記第２連通口６１ｂまで挿入されるのを防止している。また、前記支持部１０１には、前記基部１０１ａの前側に、前記開閉弁１０２を枢支する軸部１０５を支持する軸受け部１０１ｄが設けられている。
【００５５】
前記開閉弁１０２は、図１１に示すように、前記第２接続口７０を閉塞可能な略矩形板状に形成された弁本体１０３と、該弁本体１０３の上端部に沿って軸孔１０４ａが延在する軸筒部１０４とを備えており、該軸筒部１０４の軸孔１０４ａに挿通した軸部１０５を、前記支持部１０１の軸受け部１０１ｄで支持することで、開閉弁１０２が支持部１０１に対して揺動可能に支持される。このように、前記開閉弁１０２の上端部を枢支することで、前記第２接続口７０を閉塞する閉鎖位置へ向けて弁本体１０３が自重により付勢されるようになっている。なお、前記閉鎖位置にある開閉弁１０２の上端部は、前記ファール球通路８０の上面を画成する前記ベース部６２から離間するよう形成されて、該開閉弁１０２の上端部とベース部６２との隙間により開閉弁１０２の開閉動作を許容するようになっている。
【００５６】
また、前記閉鎖位置にある状態では、前記ファール球通路８０の前壁８３および後壁８２に形成された前記開放規制部８５に前記開閉弁１０２(弁本体１０３)の左右側縁部が夫々当接するようになっている(図１１、図１３〜図１７参照)。これにより、前記開閉弁１０２(弁本体１０３)を挟んで第２接続口７０側からファール球通路８０の内部(ファール球通路８０の下流から上流側)への開閉弁１０２の揺動(開放動作)を規制すると共に、開閉弁１０２を挟んでファール球通路８０の内部から第２接続口７０側への開閉弁１０２の揺動(開放動作)を許容するようになっている。すなわち、前記ファール球通路８０を通過するパチンコ球(ファール球)に押圧された開閉弁１０２が開放動作することで、該ファール球通路８０から球貯留部６５へパチンコ球(ファール球)が移動し得るようになっている。また、前記閉鎖位置にある状態では、前記開放規制部８５に当接した開閉弁１０２が、上端部から下端部に向けて球貯留部６５側(第２接続口７０側)に傾斜する傾斜姿勢で保持されており、前記ファール球通路８０を通過するパチンコ球(ファール球)に押圧された開閉弁１０２が開放動作を容易に行ない得るようになっている。
【００５７】
ここで、前記開放規制部８５は、前記ファール球通路８０の底面８１より上方側に位置する前記開閉弁１０２(弁本体１０３)の左右側縁部の全長が当接するよう形成されており(図１１、図１３〜図１７参照)、前記球貯留部６５から進入させたワイヤ等の不正具を、開閉弁１０２の左右側縁部からファール球通路８０の内部への挿入を阻止するようになっている。また、前記閉鎖位置にある開閉弁１０２(弁本体１０３)の下端部は、前記ファール球通路８０の底面８１より下方に延在して前記段差部８６に臨むよう構成されており、前記球貯留部６５から進入させたワイヤ等の不正具を、開閉弁１０２の下縁部からファール球通路８０の内部への挿入を阻止するようになっている。また、前記開閉弁１０２(弁本体１０３)の下端部は、上方から下方へ向かうにつれて前記第２接続口７０から離間する湾曲形状に形成されており、該開閉弁１０２の下端部にワイヤ等の不正具が引っ掛けられて開閉弁１０２が強制開放されるのを防止している。更に、前記閉鎖位置にある開閉弁１０２における弁本体１０３の上端部は、前記支持部１０１の基部１０１ａの下端部より上方に位置して、該弁本体１０３の上方側に形成される隙間が支持部１０１の基部１０１ａと対向位置するよう構成されている。これにより、前記球貯留部６５から進入させて弁本体１０３の上方側の隙間にワイヤ等の不正具が差し込まれたとしても、前記基部１０１ａによりファール球通路８０の内部へ不正具が進入するのを阻止し得るようになっている。
【００５８】
また、前記開閉弁１０２には、図１１、図１６〜図１８に示すように、前記軸筒部１０４から上方へ突出する揺動規制部１０６が設けられている。前記揺動規制部１０６は、前記閉鎖位置にある開閉弁１０２の開放方向に前記支持部１０１の基部１０１ａ(具体的には傾斜状部１０１ｃ)から離間するよう構成されており、該開閉弁１０２の開放動作を許容する一方で、該開閉弁１０２の開放動作に伴い揺動規制部１０６が支持部１０１の基部１０１ａに接触して開閉弁１０２の開放動作を規制するようになっている。ここで、図１８に示すように、前記ファール球通路８０を通過するパチンコ球(ファール球)に押圧された開閉弁１０２が開放位置に変位した状態では、前記揺動規制部１０６が支持部１０１の基部１０１ａから開閉弁１０２の開放方向に僅かに離間しており、この状態で開閉弁１０２の僅かな開放動作を許容するよう構成されている。すなわち、前記ファール球通路８０を通過するパチンコ球(ファール球)に押圧された開閉弁１０２が開放位置に変位した状態で開閉弁１０２の開放動作が許容されることで、該開閉弁１０２によりパチンコ球(ファール球)が噛み込まれて球詰まりするのを防止している。ここで、前記揺動規制部１０６が支持部１０１の基部１０１ａに接触して開閉弁１０２の開放動作が規制された状態(すなわち開放位置から開閉弁１０２を開放動作した状態)では、該開閉弁１０２の下端部と球貯留部６５の底面６８とがパチンコ球の直径より僅かに広い間隔で離間するよう設定されている。すなわち、前記開閉弁１０２の開放動作は、前記ファール球通路８０から１個のパチンコ球(ファール球)が１段で通過し得る程度に規制されて、当該開閉弁１０２が不必要に開放するのを規制している。
【００５９】
〔実施例の作用〕
次に、実施例に係るパチンコ機１０の作用につき説明する。
【００６０】
前記パチンコ機１０の前面側に設けられた前記操作ハンドル１８を遊技者が回転操作すると、前記球送り装置１９が作動して球受け皿１７ａに貯留されたパチンコ球が１球ずつ打球発射装置４５における発射レール４５ａの発射待機位置に送られると共に、該発射待機位置に保持されたパチンコ球が打球杆４５ｂにより打球されて、該発射レール４５ａに沿って遊技盤２０の発射通路２３へ向けて発射される。前記発射通路２３内に発射されたパチンコ球は、前記外レール２１に沿って前記遊技盤２０に画成された遊技領域２０ａ内に誘導されて、遊技釘等に接触して流下方向を変更しながら該遊技領域２０ａ内を流下する。そして、前記遊技領域２０ａを流下するパチンコ球が前記入賞装置に入賞することで、前記図柄表示装置での図柄変動演出が開始されると共に、前記発射・払出し制御装置１３０に賞球払出し信号が入力され、前記球払出装置３７が作動して所定数の賞球が払出される。また、遊技の開始時等に前記パチンコ機１０の前面側に設けられた貸球操作ボタン１７ｃを遊技者が押下した場合には、前記発射・払出し制御装置１３０に貸球払出し信号が入力され、前記球払出装置３７が作動して所定数の貸球が払出される。
【００６１】
前記球払出装置３７が作動すると、賞球または貸球としてのパチンコ球が前記球払出しユニット３５の上流側通路３６から下流側通路３８に送出されて、前記合流通路ユニット６０に流入する。そして、前記合流通路ユニット６０に流入したパチンコ球(賞球や貸球)は、前記払出し球通路７５を介して球貯留部６５へ転動し、該球貯留部６５の底面６８に沿って第１連通口６１ａから中枠１３の連絡通路５５へ誘導されて、最終的に給出口１６を介して球受け皿１７ａに払出されて、遊技に供されるようになっている。また、前記打球発射装置４５により発射されたパチンコ球の勢いが弱い場合には、前記遊技盤２０に画成された遊技領域２０ａ内までパチンコ球が到達せず、前記外レール２１に沿ってパチンコ球が逆流するファール球となる。このファール球は、前記ファール球受け部５０を介して前記合流通路ユニット６０に流入する。そして、前記合流通路ユニット６０に流入したパチンコ球(ファール球)は、前記ファール球通路８０を介して球貯留部６５へ転動し、該球貯留部６５の底面６８に沿って第１連通口６１ａから中枠１３の連絡通路５５へ誘導されて、最終的に給出口１６を介して球受け皿１７ａに払出されて、遊技に供されるようになっている。
【００６２】
ここで、前記球受け皿１７ａに貯留可能なパチンコ球の貯留量を超えると、賞球や貸球として払出されたパチンコ球や、ファール球として回収されたパチンコ球が前記合流通路ユニット６０の球貯留部６５に滞留する。そして、前記球貯留部６５にパチンコ球が滞留して前記払出し球通路７５から到来するパチンコ球(賞球や貸球)が前記第１作動部９２上に留まるようになると、該第１作動部９２の待機位置から作動位置への変位を前記検出センサ９８が検出して、前記球払出装置３７の作動が停止される。また、前記球貯留部６５にパチンコ球が滞留して前記ファール球通路８０から到来するパチンコ球(ファール球)が前記第２作動部９３上に留まるようになると、該第２作動部９３の待機位置から作動位置への変位を前記検出センサ９８が検出して、前記球払出装置３７の作動が停止される。このように、入賞口への入賞を契機として払出されるパチンコ球(賞球)や貸球操作ボタン１７ｃの操作を契機として払出されるパチンコ球(貸球)が払出し球通路７５に滞留するのに伴う第１作動部９２の作動位置への変位と、遊技領域２０ａに到達しないパチンコ球(ファール球)がファール球通路８０に滞留するのに伴う第２作動部９３の作動位置への変位とを単一の検出センサ９８で検出することで、球受け皿１７ａへのパチンコ球の払出しが停止するようにしたことで、球受け皿１７ａ(球貯留部６５)に過剰なパチンコ球が滞留するのを防止し得る。また単一の検出センサ９８で賞球や貸球の滞留とファール球の滞留とを検出するようにしたことで、検出センサ９８の設置数を増やす必要がなく、コスト削減を図り得ると共に、省スペース化を図り得る。
【００６３】
また、前記合流通路ユニット６０では、球貯留部６５に払出し球通路７５が接続する第１接続口６９よりも、該球貯留部６５にファール球通路８０が接続する第２接続口７０を、当該球貯留部６５が球受け皿１７ａに連通する第１連通口６１ａに近接位置するよう設けてある。これにより、球貯留部６５に受入れ可能なパチンコ球数(賞球数や貸球数)を多くすることができ、賞球や貸球の払出しが滞るのを防止し得る。また、ファール球の滞留を速やかに検出できるから、球受け皿１７ａにおける過剰なパチンコ球の滞留を効果的に防止し得る。
【００６４】
そして、前記第１作動部９２および第２作動部９３の夫々を単一の揺動部材９１に設けたことで、合流通路ユニット６０の構成を単純化してコスト削減を図り得ると共に、該合流通路ユニット６０をコンパクトにして省スペース化を図り得る。また、前記賞球や貸球の滞留を検出する第１作動部９２を、前記揺動部材９１における揺動軸９５側に設けることで、払出し球通路７５から到来するパチンコ球(賞球や貸球)が第１作動部９２を通過する際に、該第１作動部９２が待機位置から作動位置に変位し難くできることから、球貯留部６５にパチンコ球が滞留していない正常な状態で払出されるパチンコ球(賞球や貸球)が第１作動部９２上を通過する際に、前記検出センサ９８が誤検出するのを防止し得る。また、前記ファール球の滞留を検出する第２作動部９３を、前記揺動部材９１における揺動軸９５から離間する端部に設けることで、ファール球の滞留時における第２作動部９３の応答性が高くなり、ファール球通路８０へのパチンコ球(ファール球)の滞留を素早く検出することが可能となる。
【００６５】
また、実施例のファール球通路８０には、前記球貯留部６５に接続する第２接続口７０(ファール球通路８０の経路途中)に、ファール球通路８０を開閉する開閉弁１０２が設けられて、当該ファール球通路８０を流下するパチンコ球に押圧された場合に限り開閉弁１０２が開放動作し得るよう構成してある。これにより、前記球貯留部６５に滞留したパチンコ球がファール球通路８０に進入(逆流)するのを防止できる。また、前記開閉弁１０２は、前記第２作動部９３よりもファール球通路８０の下流側に位置するよう配置されているから、球貯留部６５に滞留したパチンコ球により第２作動部９３が誤作動することはなく、ファール球の発生に伴いファール球通路８０にパチンコ球(ファール球)の滞留が生じたことを第２作動部９３で正確に検出することが可能となる。また、第２作動部９３の下流側に開閉弁１０２が位置することで、球貯留部６５に滞留したパチンコ球が第２作動部９３に接触して第２作動部９３が損傷することも防止できる。更に、前記開閉弁１０２は自重によりファール球通路８０を閉鎖する閉鎖位置へ向けて付勢されるよう構成してあるから、該開閉弁１０２を作動する機構を別途設ける必要がなく、コスト削減を図り得ると共に、開閉弁１０２の開閉構造をコンパクトにして省スペース化を図り得る。
【００６６】
更に、前記開閉弁１０２の弁本体１０３は、前記第２接続口７０を閉塞可能な略矩形板状に形成されると共に、球貯留部６５側からファール球通路８０側への開放動作を規制するよう構成されている。このため、前記球受け皿１７ａの給出口１６から球貯留部６５内にワイヤ等の不正具を挿入して開閉弁１０２を押圧された場合に、該開閉弁１０２が開放位置に変位することはない。従って、球貯留部６５側から差し込まれた不正具がファール球通路８０を介して遊技盤２０まで挿入されるのを確実に防止できる。また、前記開閉弁１０２の外周部から不正具をファール球通路８０へ進入させるよう試みたとしても、前記段差部８６、開放規制部８５および開閉部材１００の基部１０１ａにより阻止されるから、該ファール球通路８０を介した不正具の挿入による不正行為を防止することが可能となる。また前述したように、前記第２作動部９３の下流側に開閉弁１０２が位置しているから、不正具を利用した不正行為が試みられた際に第２作動部９３が損傷するのを防止し得ると共に、当該第２作動部９３自体に対する不正行為や悪戯を開閉弁１０２で防止することができる。
【００６７】
(別実施例)
次に、前記滞留検出手段の別の実施例を説明する。なお、別実施例に係る滞留検出手段において、前述の実施例において説明した滞留検出手段９０と同一の機能を有する構成・部材に関しては同一の符号を付して詳細な説明は省略し、異なる部分についてのみ説明する。
【００６８】
別実施例に係る滞留検出手段９０は、図１９に示すように、払出し球通路７５へのパチンコ球(賞球や貸球)の滞留に伴い待機位置から作動位置に変位する第１作動部９２を備えた第１部材１２０と、ファール球通路８０へのパチンコ球(ファール球)の滞留に伴い待機位置から作動位置に変位する第２作動部９３を備えた第２部材１２５とを備えている。また、前記検出センサ９８は、前記受光部９８ａと発光部９８ｂとの間の隙間を上方および側方へ開口させた姿勢で前記本体部６１(機構設置部６４)に設置されている。
【００６９】
前記第１部材１２０は、前記第１挿入孔７１に第１作動部９２を臨ませた状態で上下移動し得るよう前記合流通路ユニット６０(機構設置部６４)に配設されると共に、該第１作動部９２の側方へ延出するよう設けられた延出部１２１に対して下方へ延出する第１検出部１２２が設けられており、該第１部材１２０(第１作動部９２)が待機位置から作動位置へ変位した際に、該第１検出部１２２が前記検出センサ９８における上方開口を介して受光部９８ａと発光部９８ｂとの間に差し込まれるよう構成されている。すなわち、前記第１作動部９２上にパチンコ球が滞留して作動位置に変位することで、該第１検出部１２２が検出センサ９８により検出されて、前記球払出装置３７による賞球や貸球の払出しが停止されるよう構成されている。なお、前記第１部材１２０は、バネ等の付勢手段１２３により待機位置へ向けて付勢されており、常には前記第１検出部１２２が前記検出センサ９８から退避して位置するよう構成されている。
【００７０】
また、前記第２部材１２５は、前記第２挿入孔８４に第２作動部９３を臨ませた状態で上下移動し得るよう前記合流通路ユニット６０(機構設置部６４)に配設されると共に、該第２作動部９３の下方へ延出するよう作動杆１２６が設けられると共に、前記検出センサ９８における側方開口を介して受光部９８ａと発光部９８ｂとの間に差し込み得るようスライド移動可能な第２検出部１２７を備えている。また、前記第２部材１２５には、前記作動杆１２６および第２検出部１２７を連繋接続するアーム部１２８とを備えており、該第２部材１２５(第２作動部９３)が待機位置から作動位置へ変位した際に、該第２検出部１２７が検出センサ９８における側方開口を介して受光部９８ａと発光部９８ｂとの間に差し込まれるよう構成されている。なお、前記第２部材１２５は、バネ等の付勢手段１２９により待機位置へ向けて付勢されており、常には前記第２検出部１２７が前記検出センサ９８から退避して位置するよう構成されている。
【００７１】
このように、別実施例に係る滞留検出手段９０のように、第１作動部９２と第２作動部９３とを夫々独立した部材に設けるようにしても、前述した実施例と同様の作用効果を得ることができる。また、前記第１作動部９２および第２作動部９３の夫々が検出位置および非検出位置の間を独立して変位するよう構成することで、払出し球通路７５にパチンコ球(賞球や貸球)が滞留した状態と、ファール球通路８０にパチンコ球(ファール球)が滞留した状態とを個別に検出することが可能となる。また、第１作動部９２が待機位置から作動位置へ変位する際の第１検出部１２２の移動方向と、第２作動部９３が待機位置から作動位置へ変位する際の第２検出部１２７の移動方向とを交差(直交)させることで、第１検出部１２２または第２検出部１２７が検出センサ９８で検出された状態で、他方の検出部に押圧されたとしても、検出センサ９８で検出されている検出部が押し出されることはなく、検出センサ９８による誤検出が発生するのを防止できる。すなわち、前記第１作動部９２または第２作動部９３の何れか一方が検出センサ９８で検出される作動位置にある状態では、他方の作動部の作動位置への変位が規制されるから、第１作動部９２および第２作動部９３が重複して検出されるのを防止できる。しかも、検出位置にあった作動部が待機位置へ変位することで、他方の作動部が作動位置へ変位し得るから、第１作動部９２および第２作動部９３の状態を確実に検出センサ９８で検出することができる。
【００７２】
(変更例)
なお、遊技機の構成としては、実施例のものに限らず種々の変更が可能であり、その一例を以下に示す。
【００７３】
(１)  実施例では、賞球が払出される賞球払出し通路(払出し球通路)と、ファール球を回収するファール球回収通路(ファール球通路)とを合流部(球貯留部)において合流させるよう構成したが、これに限らず、該賞球払出し通路(払出し球通路)およびファール球回収通路(ファール球通路)の夫々が球受け皿に個別に連通するよう構成してもよい。
(２)  実施例では、賞球払出し通路(払出し球通路)およびファール球回収通路(ファール球通路)の夫々が同じ球受け皿に連通するよう構成したが、これに限られるものではなく、球受け皿を複数設けて、賞球払出し通路(払出し球通路)およびファール球回収通路(ファール球通路)が異なる球受け皿に連通するよう構成することもできる。具体的には、遊技機前面側に上下の球受け皿を設けて、上側の球受け皿に賞球払出し通路(払出し球通路)を連通させ、下側の球受け皿にファール球回収通路(ファール球通路)を連通させる構成とすることもできる。
(３)  実施例では、第１作動部および第２作動部の作動位置への変位を単一の検出手段で検出するよう構成したが、各作動部の作動位置への変位を個別に検出するよう構成することもできる。また、検出手段としては、実施例に示したフォトインタラプタに限定されるものではなく、作動部の作動位置への変位を検出可能な検出手段であれば、各種近接センサやマイクロスイッチ、その他従来公知の各種手段を採用することができる。
(４)  実施例では、第１作動部および第２作動部を揺動部材に形成するようにしたが、上下方向にスライドする部材に形成するようにしてもよい。すなわち、待機位置および作動位置に変位し得る形態であればよい。
(５)  実施例では、ファール球回収通路(ファール球通路)の球出口を、賞球払出し通路(払出し球通路)の球出口よりも合流部(球貯留部)が球受け皿へ連通する連通口に近接位置するよう構成したが、逆の位置関係で形成することもでき、また両球出口を上下の位置関係に形成することもできる。
(６)  実施例では、ファール球回収通路(ファール球通路)の球出口に開閉弁を配置したが、これに限られるものではなく、ファール球回収通路(ファール球通路)の球入口側に開閉弁を配置してもよく、ファール球回収通路の経路途中の任意位置に開閉弁を設けることができる。
(７)  開閉弁の開放動作を規制する開放規制部は、実施例のように、開閉弁の左右側縁に当接するものに限られるものではなく、開閉弁の下端部に当接するよう形成してもよく、該開閉弁を挟んだファール球回収通路の下流から上流側への開放動作を規制し得る位置および形態で開放規制部を形成することができる。
(８)  実施例では、開閉弁を自重により閉鎖位置に向けて付勢されるよう構成したが、これに限られるものではなく、バネ等の付勢手段により閉鎖位置へ向けて付勢されるよう構成してもよい。
(９)  実施例では、ファール球回収通路(ファール球通路)へのファール球の滞留により作動する作動部(第２作動部)より下流側に位置するよう開閉弁を設置したが、該作動部(第２作動部)の上流側に開閉弁を設置しても、パチンコ球の逆流や不正具の挿入を阻止することが可能である。
(１０)  実施例では、開閉弁を板状に形成したが、これに限られるものではない、すなわち、遊技球の逆流を防止する構成であれば、遊技球が通過不能な開口が開設された形態であってもよく、同様に不正具の挿入を阻止する構成であれば、当該不正具を挿入不能な開口が開設された形態とすることもできる。
(１１)  実施例では、開閉弁を１つ設けた形態を示したが、複数の開閉弁を設けるようにしてもよい。また、開閉弁を複数に分割して、当該複数の開閉弁によりファール球回収通路(ファール球通路)を閉鎖するようにしてもよい。
(１２)  実施例では、開閉弁の上端部を枢支するよう構成したが、側部を枢支するよう構成することも可能である。
(１３)  実施例では、遊技機としてパチンコ機を例示して説明したが、これに限られるものではなく、アレンジボール機やピンボール機等の遊技媒体として遊技球を用いる各種遊技機に採用し得る。
【符号の説明】
【００７４】
１７ａ  球受け皿
２０  遊技盤
２０ａ  遊技領域
３７  球払出装置
６５  球貯留部(合流部)
６９  第１接続口(賞球払出し通路の球出口)
７０  第２接続口(ファール球回収通路の球出口)
７５  払出し球通路(賞球払出し通路)
８０  ファール球通路(ファール球回収通路)
９１  揺動部材(可動部材)
９２  第１作動部
９３  第２作動部
９７  検出片(検出部)
９８  検出センサ(検出手段)
【図１】
0005670866.tif 000002
【図２】
0005670866.tif 000003
【図３】
0005670866.tif 000004
【図４】
0005670866.tif 000005
【図５】
0005670866.tif 000006
【図６】
0005670866.tif 000007
【図７】
0005670866.tif 000008
【図８】
0005670866.tif 000009
【図９】
0005670866.tif 000010
【図１０】
0005670866.tif 000011
【図１１】
0005670866.tif 000012
【図１２】
0005670866.tif 000013
【図１３】
0005670866.tif 000014
【図１４】
0005670866.tif 000015
【図１５】
0005670866.tif 000016
【図１６】
0005670866.tif 000017
【図１７】
0005670866.tif 000018
【図１８】
0005670866.tif 000019
【図１９】
0005670866.tif 000020